(57)【要約】【課題】ビデオカメラの薄型化に好適なレイアウト構造を持つ電子機器を提供する。【解決手段】記録媒体２０２上に光を照射しその反射光より情報を読み取り、所定範囲を移動可能な情報読み取り手段５０２と、情報読み取り手段５０２の近傍に配設され、少なくとも第１および第２の位置に移動可能な可動部１０８とを備える。可動部１０８の第１の位置は情報読み取り手段５０２の移動範囲外にあり、可動部１０８の第２の位置は情報読み取り手段５０２の移動範囲内にある。【選択図】        図５
2006352640.tif 000002
【特許請求の範囲】
【請求項１】
記録媒体の記録面に対して所定範囲を移動可能な情報読み取り手段と、前記情報読み取り手段の近傍に配設され、少なくとも第１および第２の位置に移動可能な可動部とを備え、
前記可動部の第１の位置は前記情報読み取り手段の移動範囲外にあり、前記可動部の第２の位置は前記情報読み取り手段の移動範囲内にあることを特徴とする電子機器。
【請求項２】
前記情報読み取り手段の移動を許可する第１のモードと、前記情報読み取り手段の移動を禁止する第２のモードとを備え、
前記情報読み取り手段が前記第１のモードにある時、前記可動部の移動を制限することを特徴とする請求項１に記載の電子機器。
【請求項３】
前記可動部が前記第１の位置にある時、前記第１のモードへの遷移を許可することを特徴とする請求項１または２に記載の電子機器。
【請求項４】
前記記録媒体は回転運動を行い、前記情報読み取り手段は直線移動を行うことを特徴とする請求項１〜３のいずれか１項に記載の電子機器。
【請求項５】
前記記録媒体は円盤状であり、前記情報読み取り手段は前記記録媒体の半径方向へ移動可能に構成されたことを特徴とする請求項１〜４のいずれか１項に記載の電子機器。
【請求項６】
前記情報読み取り手段は光ピックアップ装置もしくは磁気ヘッド装置であることを特徴とする請求項１〜５のいずれか１項に記載の電子機器。
【請求項７】
前記可動部として、前記第１の位置で機器外装カバーから突出し、前記第２の位置で機器外装カバーと略面一に格納される機能部材を有することを特徴とする請求項１〜６のいずれか１項に記載の電子機器。
【発明の詳細な説明】
【技術分野】
【０００１】
本発明はＤＶＤのようなディスク状記録媒体を用いたビデオカメラやディスクプレイヤーなどの電子機器に関する。
【背景技術】
【０００２】
家庭用ビデオカメラが普及しており、近年では記録媒体に磁気テープを用いる従来のビデオカメラの他に、ＤＶＤなど光ディスクを記録媒体に用いるビデオカメラが登場している。
【０００３】
図１３にビデオカメラ１３０１を示す。正面側に撮影レンズ１３０２と集音マイク部１３０３、他にフラッシュやビデオライトなどの被写体照明手段１３０４を配置している。撮影レンズ１３０２後方には内部に撮像素子が配され、さらにその後方にビューファインダー１３０５を配置している。撮影レンズ１３０２およびビューファインダー１３０５の下方には開閉可能にＬＣＤモニター１３０６があり、逆に撮影レンズ１３０２上方には外部アクセサリーを取り付けるアクセサリーシュー１３０７が設けられている。
【０００４】
ＬＣＤモニター１３０６とは逆の側に記録装置たるＶＴＲ装置１３０８が配置され、ＶＴＲ装置１３０８は把持部であり開閉可能な外装１３０９で保護されている。先に述べたように、記録装置は光ディスクドライブ装置である場合もある。後方ビューファインダー１３０５の下には充電式バッテリー１３１０の取り付け部がある。バッテリー１３１０の横には電源スイッチ１３１１と、撮影の開始・停止を操作するトリガーボタン１３１２が設けられている。
【０００５】
また、ディスクを用いたビデオカメラとして特許文献１に記載のものがあり、光磁気ディスク、ディスクチャッキング装置、ディスクドライブモータ、光磁気ピックアップユニットおよび各種制御装置の配置位置に対して干渉されないディスクドライブ部内の位置に光学素子を配置する内容が開示されている。
【０００６】
【特許文献１】特開平１０−１４５６５８号公報
【発明の開示】
【発明が解決しようとする課題】
【０００７】
図１４に、ビデオカメラの内部配置を表す模式図を示す。図１４は、ＶＴＲ装置を記録装置に用いたビデオカメラの例である。撮影レンズ１４０２の横にＶＴＲ装置１４０３が配置され、撮影レンズ１４０２下方には本ビデオカメラ１４０１を制御する基板１４０４と、ＶＴＲ装置１４０３とは逆の側にＬＣＤモニター１４０５が配置されている。このように撮影レンズ１４０２とＶＴＲ装置１４０３によってビデオカメラ１４０１の幅Ｗ１がおよそ規定されている。この幅を利用して、ビデオカメラ１４０１の正面側には集音マイク部１４０６とフラッシュなどの照明手段１４０７を配置し、他方、ビデオカメラ１４０１背面側にはバッテリー１４０８と電源スイッチ１４０９やトリガーボタン１４１０を配置する。
【０００８】
一方、図１５は光ディスクドライブ装置１５０２を記録装置に用いたビデオカメラ１５０１の例である。ＶＴＲ装置１４０３が、ある幅を持った磁気テープを走行させるために所定の厚みが必要であるに対し、光ディスクドライブ装置１５０２は厚み方向に制約が少なく、ＶＴＲ装置１４０３に比べて薄型化が可能である。したがって光ディスクドライブ装置１５０２を記録装置に用いたビデオカメラ１５０１では、ＶＴＲ装置１４０３を用いた場合に比べてビデオカメラ１５０１の幅を小さくできる。具体的には、図１４におけるビデオカメラ１４０１の幅寸法Ｗ１を、図１５におけるビデオカメラ１５０１の幅寸法Ｗ２のように小さくできる。
【０００９】
しかしながら、結果的にビデオカメラ１５０１の正面や背面、上面や下面は面積が小さくなってしまう。そのため先のＶＴＲ装置１４０３を用いたビデオカメラ１４０１に対して、正面の集音マイク部１４０６やフラッシュなどの照明手段、あるいは背面のバッテリー１４０８と電源スイッチやトリガーボタンの配置の自由度が小さくなる。ともすれば撮影レンズ１４０２と光ディスクドライブ装置１５０２によって規定されたビデオカメラ１５０１の幅Ｗ２からはみ出して配置せざるを得ない場合も考えられる。そうなると、例えば図１５のようにフラッシュ発光部１５０３や電源スイッチ１５０４だけが側面から突出してしまい、光ディスクドライブ装置１５０２を用いたビデオカメラ薄型化の効果が生かせず、全体のデザイン性を損ない、普段の使用時にも突出部分を引っ掛けて破損しやすいといった不具合が生じやすい。
【００１０】
本発明はこのような事情を鑑み、ビデオカメラの薄型化に好適なレイアウト構造を持つ電子機器を提供するものである。
【課題を解決するための手段】
【００１１】
上記の目的を達するために本発明における電子機器は、記録媒体の記録面に対して所定範囲を移動可能な情報読み取り手段と、前記情報読み取り手段の近傍に配設され、少なくとも第１および第２の位置に移動可能な可動部とを備え、前記可動部の第１の位置は前記情報読み取り手段の移動範囲外にあり、前記可動部の第２の位置は前記情報読み取り手段の移動範囲内にあることを特徴とする。
【発明の効果】
【００１２】
本発明によれば、電子機器特にディスクドライブ装置を備える電子機器において、ピックアップ装置の移動空間を利用して機器の収納形態をコンパクトにすることができる。
【００１３】
また、具体的にはピックアップ装置が移動可能なモードにあるときは、電源スイッチなどの収納を禁止する機構を持つことで、不用意にピックアップ装置の動作を妨げることがなく、安全性や使用性等に優れている。
あるいはまた、フラッシュ発光部などの収納物がピックアップ装置の移動空間を閉鎖しているときには、ピックアップ装置が移動可能なモードに移行できないようにするため、ピックアップ装置と収納物とが干渉して破損することを防ぐことができる。
【発明を実施するための最良の形態】
【００１４】
以下、本発明による電子機器の好適な実施の形態を図を用いて説明する。なお、各実施形態を通じて、同一のものには同一の符号を用いる。
（第１の実施の形態）
図１に本発明の第一の実施形態であるビデオカメラ１０１の外観を表す。また、図２は本ビデオカメラ１０１の内部レイアウトを模式的に表している。
本ビデオカメラ１０１は、撮影レンズ部１０２の後方にビューファインダー１０３を配し、その下方にＬＣＤモニター１０４を開閉自在に取り付けている。また、ＬＣＤモニター１０４とは逆の側に光ディスクドライブ装置２０１を配し、開閉自在な蓋カバー１０５で保護している。背面にはバッテリー１０６の取り付け部と、その横に撮影開始・停止を操作するトリガーボタン１０７を配置している。さらに、先述の蓋カバー１０５上には本ビデオカメラ１０１の電源をＯＮ/ＯＦＦするための電源スイッチ１０８を配置している。
【００１５】
本電源スイッチ１０８は蓋カバー１０５から突出して配置され、使用者がつまんで回転させることで本ビデオカメラ１０１の電源のＯＮ/ＯＦＦおよび動作モードの切り替えを行う。図３のように、電源スイッチ１０８つまみに設けられた指標３０１を蓋カバー１０５上に設けた指標３０２に合わせると、それぞれ電源OFFから撮影モード、あるいは再生モードへと切り替えることが出来る。
【００１６】
次に図４は蓋カバー１０５を開いた状態を表している。蓋カバー１０５を開くとディスク２０２および光ディスクドライブ装置２０１が露出し、ディスク２０２を交換することができる。
【００１７】
ここで、光ディスクドライブ装置２０１について図５を用いて説明する。図５（Ａ）は光ディスクドライブ装置２０１の構造を表す模式図であり、図５（Ｂ）は光ディスクドライブ装置２０１の断面を示している。
図５（Ａ）に示すように、光ディスクドライブ装置２０１は直下に配置されたスピンドルモーターによりチャッキングしたディスク２０２を回転するターンテーブル５０１と、レーザー発振器・ビームスプリッター・対物レンズ・光センサー（いずれも図示せず）などを含む光ピックアップユニット（以下、OPU）５０２と、OPUをディスク半径方向へ移動させるためのトラバース機構を有する。トラバース機構は、主にトラバースモーター５０３と、トラバースモーターによって回転するスクリューシャフト５０４から成り、OPUはスクリューシャフト５０４にラックによって噛み合い、トラバースモーター５０３の駆動によりディスク半径方向を移動する。OPU５０２の他方はガイドバー５０５によって支持されている。
【００１８】
以上の構成物は、金属製のシャーシ５０６に納められ、シャーシ５０６裏面側には光ディスクドライブ装置２０１の制御基板５０７が取り付けられている。制御基板５０７にはコントローラー素子が実装され、基板５０７に接続されたスピンドルモーター・トラバースモーター５０３・OPU５０２を制御する。特にOPU５０２は先述のディスク半径方向への移動を阻害しないように、FPCなど適度な長さを持ちフレキシブルな配線材５０８を用いて接続されている。
【００１９】
図６は、ＯＰＵ５０２の移動の様子を表す図である。図６（Ａ）はＯＰＵ５０２がディスク２０２内周端にあるときの様子を表し、図６（Ｂ）は同じくディスク２０２外周端にあるときの様子を表している。このように、ＯＰＵ５０２はディスク記録面をすべてカバーできるように、ディスク半径に応じた所定の距離を移動できるように構成されている。
【００２０】
さて、図７に先述の電源スイッチ１０８の断面構造を示す。図７（Ａ）は電源スイッチ１０８が使用位置に突出している状態を表し、図７（Ｂ）は電源スイッチ１０８が収納位置に収められている状態を表している。
電源スイッチ１０８は、使用者が操作する回転つまみ７０１と、回転つまみ７０１を支持し蓋カバー１０５に設けた孔に勘合するスリーブ部材７０２からなっている。スリーブ部材７０２がガイドとなって、電源スイッチ１０８は蓋カバー１０５に対してスラスト方向へ移動可能に構成されている。
【００２１】
また、蓋カバー１０５の孔の底を形成する面とスリーブ部材７０２との間にコイルばね７０３を配置し、電源スイッチ１０８全体は蓋カバー１０５から突出する方向に付勢されている。スリーブ部材７０２の先端はフランジを持ち、電源スイッチ１０８全体を所定の突出位置で係止する。
【００２２】
また、電源スイッチ１０８近傍にアクチュエーター７０４を配置し、本ビデオカメラ１０１の動作モードが「撮影」もしくは「再生」のモードにあるとき、アクチュエーター７０４から係止片７０５が延出し、電源スイッチ１０８の孔に挿通して移動を制限するようになっている。本ビデオカメラ１０１の電源がOFFになっているとき、図７（Ｂ）のように係止片７０５は退避し、電源スイッチ１０８の移動を可能とする。
【００２３】
このとき使用者が突出している電源スイッチ１０８を押し込むことにより、電源スイッチ１０８全体が蓋カバー１０５の孔に収納され、図示しないがいわゆるプッシュプッシュ機構などの従来より用いられる係止構造により収納位置に保持される。電源スイッチ１０８が収納位置に保持されている状態から電源スイッチ１０８を使用可能な状態にするには、もう一度押し込むことにより突出するようになる。
【００２４】
さて、図８から図１０に、本ビデオカメラ１０１の光ディスクドライブ装置２０１と電源スイッチ１０８との配置関係を示す。
図８に示すように、電源スイッチ１０８は光ディスクドライブ装置２０１のディスク２０２面より上方で、かつ平面的にはディスク２０２にオーバーラップしない位置に配置している。電源スイッチ１０８が使用状態にあるとき、図８のように電源スイッチ１０８の下側（図８（Ｂ）では右側）には空間があり、図９に示すようにOPU５０２がこのスペースを使ってディスク半径方向に移動可能となり、したがってディスク全体に渡ってデータの読み書きが可能となる。ディスク２０２に対してデータの読み書きが行われるのは、本ビデオカメラ１０１の動作モードが「撮影」もしくは「再生」モードにあるときであり、このとき電源スイッチ１０８は先述のようにアクチュエーター７０４により収納移動が阻止されているため、誤って電源スイッチ１０８をOPU５０２移動空間に侵入させてしまうことはない。
【００２５】
次に、電源スイッチ１０８を操作して本ビデオカメラ１０１の電源をOFFにすると、光ディスクドライブ装置２０１はデータの読み書き処理を終了し、OPU５０２を待機位置であるディスク内周側へ移動する。OPU５０２が待機位置へ移動することによって、電源スイッチ１０８の下側の空間はデッドスペースとなる。本ビデオカメラ１０１の電源がOFFになっているとき、先述のようにアクチュエーター７０４の係止片７０５は退避するため、電源スイッチ１０８の移動が可能になり、電源スイッチ１０８を使用者が押し込んで先のデッドスペースを使用して収納することができる（図１０）。
【００２６】
特に、電源スイッチ１０８は収納状態では完全に蓋カバー１０５内に収まっているので使用者が操作できず、電源を誤って入れてしまうことがないため、OPU５０２の移動と電源スイッチ１０８の収納とが同じスペースで排他的に行うことが可能となる。
【００２７】
以上のように本実施形態であるビデオカメラは、電源OFF時にOPU５０２の移動スペースを使って電源スイッチを収納することができ、ビデオカメラをコンパクトにできる。
【００２８】
（第２の実施の形態）
次に、本発明の第二の実施形態を説明する。
図１１は第二の実施形態たるビデオカメラ１１０１の内部レイアウトを模式的に表している。
本ビデオカメラ１１０１は第一の実施形態と同様に、撮影レンズ部１０２の後方にビューファインダー１０３を配し、その下方にＬＣＤモニター１０４を開閉自在に取り付けている。また、ＬＣＤモニター１０４とは逆の側に光ディスクドライブ装置２０１を配し、開閉自在な蓋カバー１０５で保護している。背面にはバッテリー１０６取り付け部がある。ここで、本実施形態のビデオカメラ１１０１は静止画撮影の照明手段として用いるフラッシュ機構を備えており、蓋カバー１０５上にフラッシュ発光部１１０２を配置している。
【００２９】
本実施形態における光ディスクドライブ装置は第一の実施形態におけるものと同一であるので説明は割愛するが、第一の実施形態と異なり、OPU５０２がディスク２０２中央付近からビデオカメラ前方へ向かって移動するように逆さまの配置になっている。
【００３０】
さて、図１２は本実施形態におけるフラッシュ発光部１１０２と光ディスクドライブ装置２０１との配置関係を示す。図１２（Ａ）はフラッシュ発光部１１０２を展開し使用可能である状態を表し、図１２（Ｂ）はフラッシュ発光部１１０２を収納した状態を表している。フラッシュ発光部１１０２は軸によって蓋カバー１０５に対して回動自在に取り付けられており、図示しないトーションばねによって図１２（Ａ）に示す展開状態の方向へ付勢されている。また、図１２（Ｂ）に示す収納状態においては、図示しないロック機構によって収納姿勢に固定されている。
【００３１】
本ビデオカメラ１１０１の電源をONすることで、フラッシュ発光部１１０２を収納姿勢にロックしているロック機構が作動してロック解除し、前述のトーションばねによって図１２（Ａ）に示す展開状態に自動的に移行する。このとき、フラッシュ発光部１１０２を所定の展開位置に規制するフランジ部が検知スイッチ１２０１をONし、フラッシュ発光部１１０２が展開されたことを検知する。
【００３２】
この検知スイッチ１２０１がONになったことを受けて、OPU５０２は移動することを許可され、トラバースモーター５０３の駆動によってディスク半径方向を移動できるようになり、ディスク２０２の記録面全体に渡ってデータの読み書きを可能とする。図１２（Ａ）に示す一点鎖線は、OPU５０２がディスク２０２の外周端に移動した位置を表している。このように、フラッシュ発光部１１０２が展開することによって空いたスペースを使って、OPU５０２が移動する。以上のように、本ビデオカメラ１１０１はOPU５０２の移動スペースが確保されたとき、OPU５０２の移動を許可する。
【００３３】
一方、図１２（Ｂ）に示すフラッシュ発光部１１０２の収納状態においては、フラッシュ発光部１１０２がOPU５０２の移動空間を閉鎖するため、OPU５０２は移動することができない。このような状況は、例えば展開状態にあるフラッシュ発光部１１０２を使用者が誤って閉じてしまったり、何らかの故障によってフラッシュ発光部１１０２が自動展開できなかった場合に起こりうる。このとき検知スイッチ１２０１はOFFになっており、それを受けてOPU５０２は移動を禁止される。以上のように本ビデオカメラ１１０１はOPU５０２の移動スペースが閉鎖されているとき、OPU５０２の移動を禁止する。
【００３４】
以上のように本実施形態であるビデオカメラは、フラッシュ発光部１１０２をOPU５０２の移動スペースに収納することができ、フラッシュ発光部１１０２とOPU５０２とが干渉することのないシステムを得ることができる。
【００３５】
なお、本発明の実施形態ではビデオカメラを例に挙げてきたが、本発明の適用範囲はビデオカメラに限らない。例えばポータブルディスクプレイヤーなどであっても、操作部やリモコン送信機を収納するなどのように、本発明の適用が可能であることは容易に導かれることは言うまでもない。
【図面の簡単な説明】
【００３６】
【図１】本発明の第１の実施形態であるビデオカメラの外観図である。
【図２】本発明の第１の実施形態であるビデオカメラの内部レイアウトの模式図である。
【図３】本発明の第１の実施形態である電源スイッチ部の外観図である。
【図４】本発明の第１の実施形態であるビデオカメラの蓋カバーを開いた状態の図である。
【図５】本発明の光ディスクドライブ装置の構造を表す模式図である。
【図６】本発明のOPUの移動位置を表す図である。
【図７】本発明の第１の実施形態である電源スイッチの構造を表す断面図である。
【図８】本発明の第１実施形態の電源スイッチと光ディスクドライブとの位置関係を表す図である。
【図９】本発明の第１実施形態の電源スイッチと光ディスクドライブとの位置関係を表す図である。
【図１０】本発明の第１実施形態の電源スイッチと光ディスクドライブとの位置関係を表す図である。
【図１１】本発明の第２の実施形態であるビデオカメラの内部レイアウトの模式図である。
【図１２】本発明の第２実施形態のフラッシュ発光部と光ディスクドライブとの位置関係を表す図である。
【図１３】従来のビデオカメラの外観図である。
【図１４】従来のVTR装置を用いたビデオカメラの内部レイアウトの模式図である。
【図１５】従来の光ディスクドライブ装置を用いたビデオカメラの内部レイアウトの模式図である。
【符号の説明】
【００３７】
101,1101,1301,1401,1501  ビデオカメラ
102,1302,1402 撮影レンズ
1303,1406  集音マイク部
1304,1407  被写体照明手段
103,1305  ビューファインダー
104,1306,1405 ＬＣＤモニター
1307  アクセサリーシュー
1308,1403  ＶＴＲ装置
1309  外装
106,1310,1408 バッテリー
108,1311,1409,1504  電源スイッチ
107,1312,1410 トリガーボタン
1404  基板
201,1502  光ディスクドライブ装置
1102,1503  フラッシュ発光部
105  蓋カバー
301,302  指標
202    ディスク
501  ターンテーブル
502  光ピックアップユニット（OPU）
503  トラバースモーター
504  スクリューシャフト
505  ガイドバー
506  シャーシ
507  制御基板
508  配線材
701  回転つまみ
702  スリーブ部材
703  コイルばね
704  アクチュエーター
705  係止片
1201  検知スイッチ
【図１】
2006352640.tif 000003
【図２】
2006352640.tif 000004
【図３】
2006352640.tif 000005
【図４】
2006352640.tif 000006
【図５】
2006352640.tif 000007
【図６】
2006352640.tif 000008
【図７】
2006352640.tif 000009
【図８】
2006352640.tif 000010
【図９】
2006352640.tif 000011
【図１０】
2006352640.tif 000012
【図１１】
2006352640.tif 000013
【図１２】
2006352640.tif 000014
【図１３】
2006352640.tif 000015
【図１４】
2006352640.tif 000016
【図１５】
2006352640.tif 000017